(57)【要約】      （修正有）【課題】冷えた窓ガラスに触れて降下してくる冷気を効率良く集めて窓との間に冷気滞留空間を形成させ、冷気が部屋中央部に直接、流れるのを防止する窓際防寒ボードを提供する。【解決手段】冷えた窓ガラス１６に触れて降下してきた冷気を効率良く集めて窓との間に冷気の滞留空間３０を形成させるため窓際に設置する窓際防寒ボード１である。窓との間に所定間隔を保って窓下部に水平に載置する平板状座部７と、平板状座部７の窓側端部より上方に伸びる平板状直立部６と、平板状直立部６の上端より斜め上方、室内側に伸びる平板状傾斜部５を備える。【選択図】図７
0003190818.tif 000002
【実用新案登録請求の範囲】
【請求項１】
冷えた窓ガラスに触れて降下してきた冷気が部屋中央部に流れるのを阻止するため窓際に設置する窓際防寒ボードであって、
窓との間に所定間隔を保って窓下部に水平に載置する平板状座部と、該座部の窓側端部より上方に伸びる平板状直立部と、該直立部の上端より斜め上方、室内側に伸びる平板状傾斜部を備えることを特徴とする窓際防寒ボード。
【請求項２】
請求項１に記載の窓際防寒ボードにおいて、該ボードは矩形ボードを前記平板状座部と平板状直立部、該平板状直立部と平板状傾斜部の間の二つの境界部に屈曲部を設け、使用時に該屈曲部にて前記矩形ボードを折り曲げて設置するように構成してあることを特徴とする窓際防寒ボード。
【請求項３】
請求項２に記載の窓際防寒ボードにおいて、前記屈曲部は屈曲部内側角となるボード部にボード板厚の１／３乃至２／３の深さのＶ字状切り込み、又はＶ字状窪みを設けて形成してあることを特徴とする窓際防寒ボード。
【請求項４】
請求項２に記載の窓際防寒ボードにおいて、前記屈曲部は屈曲部外側角となるボード部にボード板厚の１／３乃至２／３の深さの切り込みを設けて形成してあることを特徴とする窓際防寒ボード。
【請求項５】
請求項２乃至４の何れかに記載の窓際防寒ボードにおいて、前記矩形ボードはボード幅方向に所定間隔で前記屈曲部とは直角方向の折り畳み屈曲部を設け、該折り畳み屈曲部にて折り曲げて折り畳めるように構成してあることを特徴とする窓際防寒ボード。
【考案の詳細な説明】
【技術分野】
【０００１】
本考案は、冬季に窓ガラスの内表面で冷やされた冷気や隙間風が部屋中央部に流れるのを防止するため窓際に立て掛けて使用する窓際防寒ボードに関する。
【背景技術】
【０００２】
冬場、外気温が低下して窓ガラスの温度が下がると、その冷たい表面に触れて冷やされた空気は室内空気よりも比重が大きくなり、窓ガラスに沿って降下して床面に移動する。その後は床面を這うようにして部屋全体に広がり、室内下層の空気温度を低下させる。この現象はコールドドラフト現象と呼ばれ、暖房を入れているにも関わらず足元がヒンヤリする大きな原因である。このコールドドラフト現象によるものの他、窓枠の隙間から入り込む隙間風も室内下層の空気温度を低下させる原因になる。
【０００３】
こうした窓に起因する室内温度の低下を防ぐ対策としてカーテンを用いる方法がある。しかし、冷えて比重の増した冷気はカーテンと窓枠、壁との隙間から床面へ降下するため効果は限定的である。他の対策として防寒ボードを使用する考えがある。例えば、特許文献１には、平板状の座部と窓の中央部又はその近傍位置まで直立する平板状の直立部とを屈曲部を介して接続した折り畳み式防寒ボードが開示されている。このような折り畳み式防寒ボードを窓際に載置しておけば窓とボードとの間に冷気の停滞空間が形成され、窓付近で生成された冷気の部屋中央部への侵入が阻止されるため一定の効果が期待できる。
【０００４】
しかし、冷えた窓ガラスに触れて冷やされた空気は、窓の高い位置から降下するに従ってその量が増す。加えて、降下中に冷えていないに室内空気と接触して混じり合うことによっても量も増える。こうした量の増加により降下する冷えた空気層の窓ガラス面からの厚みは次第に増していく。前記折り畳み式防寒ボードの平板状直立部が窓５０に接近して載置してあると、図１０に示すように降下してきた冷気はボード５１の室内側に落下し、床面を這うようにして部屋中央部に広がる。対策として窓５０から大きく離して設置した場合には、使用できる床面積が減って部屋が狭くなるという問題がある。
【先行技術文献】
【特許文献】
【０００５】
【特許文献１】実用新案登録第３０８８６３３号公報
【考案の概要】
【考案が解決しようとする課題】
【０００６】
本考案は従来技術のこうした問題点を解決するためになされたもので、その課題は、窓際に設置する防寒ボードであって、冷えた窓ガラスに触れて降下してくる冷気を効率良く集めて窓との間に冷気滞留空間を形成させ、冷気が部屋中央部に直接、流れるのを防止する窓際防寒ボードを提供することにある。
【課題を解決するための手段】
【０００７】
前記課題を解決するための請求項１に記載の考案は、冷えた窓ガラスに触れて降下してきた冷気が部屋中央部に流れるのを阻止するため窓際に設置する窓際防寒ボードであって、窓との間に所定間隔を保って窓下部に水平に載置する平板状座部と、該座部の窓側端部より上方に伸びる平板状直立部と、該直立部の上端より斜め上方、室内側に伸びる平板状傾斜部を備えることを特徴とする窓際防寒ボードである。
【０００８】
冬場、冷えた窓ガラス表面に触れて比重が大きくなった空気は窓ガラス内表面に沿って降下し、降下するにつれて量が増して冷気層の窓ガラス面からの厚みは次第に増す。本構成の窓際防寒ボードはボード上部に斜め上方、室内側に伸びる平板状傾斜部が設けてあるため、ボードの平板状直立部よりも室内側に降下しようとする冷気は傾斜部に当接し、傾斜部の傾斜面に沿って直立部と窓ガラスとの間の冷気滞留空間に効率良く流れ込む。これにより降下してきた冷気の部屋中央部への流れが効果的に抑制され、防寒効果が向上する効果を奏する。
【０００９】
また、請求項２に記載の考案は、請求項１に記載の窓際防寒ボードにおいて、該ボードは矩形ボードを平板状座部と平板状直立部、該平板状直立部と平板状傾斜部の間の二つの境界部に屈曲部を設け、使用時に該屈曲部にて矩形ボードを折り曲げて設置するように構成してあることを特徴とする窓際防寒ボードである。
【００１０】
このような構成によれば、不使用時には屈曲部を伸ばして保管できるため保管が容易になる利点を有する。
【００１１】
また、請求項３に記載の考案は、請求項２に記載の窓際防寒ボードにおいて、屈曲部は屈曲部内側角となるボード部にボード板厚の１／３乃至２／３の深さのＶ字状切り込み、又はＶ字状窪みを設けて形成してあることを特徴とする窓際防寒ボードである。
【００１２】
屈曲部にこのようなＶ字状切り込み、又はＶ字状窪みを設けておけば、使用時の折り曲げが容易になる利点を有する。
【００１３】
また、請求項４に記載の考案は、請求項２に記載の窓際防寒ボードにおいて、屈曲部は屈曲部外側角となるボード部にボード板厚の１／３乃至２／３の深さの切り込みを設けて形成してあることを特徴とする窓際防寒ボードである。
【００１４】
屈曲部にこのような切り込みを設けておけば、使用時の折り曲げが容易になる利点を有する。
【００１５】
また、請求項５に記載の考案は、請求項２乃至４の何れかに記載の窓際防寒ボードにおいて、矩形ボードはボード幅方向に所定間隔で前記屈曲部とは直角方向の折り畳み屈曲部を設け、該折り畳み屈曲部にて折り曲げて折り畳めるように構成してあることを特徴とする窓際防寒ボードである。
【００１６】
このような折り畳み屈曲部を設けておけば、不使用時には矩形ボードを折り畳んで小スペースに保管しておける利点を有する。
【図面の簡単な説明】
【００１７】
【図１】本考案に係る窓際防寒ボード１を出窓の内側に設置した状態である。
【図２】窓際防寒ボード１の外観斜視図である。
【図３】屈曲部外側に切り込み１０、１１を形成して折り曲げる説明図である。
【図４】屈曲部内側にＶ字状切り込み１０ａ、１１ａを形成して折り曲げる説明図である。
【図５】屈曲部内側にＶ字状窪み１５を形成して折り曲げる説明図である。
【図６】矩形ボード２を折り畳み屈曲部２０で折り畳んだ状態である。
【図７】窓際防寒ボード１を窓際に設置した状態における窓ガラス１６に直角な垂直面の断面図である。
【図８】出窓に設置した場合に両側端部の隙間をなくす工夫の平面図である。
【図９】掃きだし窓に設置した場合に両側端部の隙間をなくす工夫の平面図である。
【図１０】従来の折り畳み式防寒ボード５１を出窓の内側に設置した状態である。
【考案を実施するための形態】
【００１８】
以下、本考案に係る窓際防寒ボードの一実施形態について図面を参照して説明する。図１は、本考案に係る窓際防寒ボード１を出窓の内側に設置し、冷えた窓ガラスに触れて降下してきた冷気を集めて窓との間に冷気の滞留空間を形成させて滞留させ、冷気が直接に部屋中央部に流れるのを防いでいる状態の例である。
【００１９】
図２は窓際防寒ボード１の外観斜視図である。窓際防寒ボード１は、横長、矩形のボード２を長手方向に伸びる上部屈曲部３、下部屈曲部４の２個所で折り曲げ、上部から順に平板状傾斜部５、平板状直立部６、平板状座部７を備えて構成したものである。平板状座部７は、平板状傾斜部５と平板状直立部６を転倒しないように支える部分で、図１の例に示すように窓との間に所定間隔を保って窓下部に水平に載置する。出窓の場合は出窓の水平板部上に載置し、掃きだし窓の場合は床面に載置する。
【００２０】
平板状直立部６は、平板状座部７の窓側端部より座部７に直角に上方に伸び、使用状態では所定間隔を保って窓ガラスに対向する部分である。平板状傾斜部５は、平板状直立部６の上端より斜め上方、室内側に伸びる部分である。垂直面からの傾斜角度は４５〜６０°が好ましい。
【００２１】
このような窓際防寒ボード１のボード材料としては、軽量な合成樹脂板が好ましい。厚み５〜１０ｍｍの発泡ポリエチレン樹脂製の一枚板でもよいが、その両面に厚さ０．１ｍｍ程度のＰＥＴフィルムを貼り付けた３層構造の板が好ましい。
【００２２】
上部屈曲部３、下部屈曲部４は、図３の（１）に示すように屈曲部外側となるボード２の位置に切り込み１０、１１を形成しておき、設置の際に折り曲げて図３の（２）に示すように上部屈曲部３、下部屈曲部４を形成するのが簡単である。切り込み１０、１１の深さはボード板厚の１／３乃至２／３にしておく。
【００２３】
別の方法として、図４の（１）に示すように屈曲部内側となるボード２の位置にＶ字状切り込み１０ａ、１１ａを形成しておき、設置の際に折り曲げて図４の（２）に示すように上部屈曲部３、下部屈曲部４を形成してもよい。この場合もＶ字状切り込み１０ａ、１１ａの深さはボード板厚の１／３乃至２／３にしておく。この構造の方が屈曲部に強度があり、見栄えもよい。
【００２４】
また、前記のように屈曲部にＶ字状切り込みを入れるのではなく、Ｖ字状窪みを設けてもよい。図５はＶ字状窪み１５の設け方の例である。図５の（１）に示すように金属板１３と金属性の楔１４を用意する。図５の（２）に示すように屈曲部の外側面となる部分に金属板１３をあてがい、内側面となる側から楔１４を押しつけて窪ませる。楔１４は加熱して温度を上げておくとよい。楔１４と金属板１３を外せば、図５の（３）に示すように合成樹脂板が塑性変形してＶ字状窪み１５が残る。Ｖ字状窪み１５が塞がる方向に折り曲げて屈曲部を形成する。
【００２５】
窓際防寒ボード１を構成する矩形ボード２の幅方向には、図２に示すような上部屈曲部３、下部屈曲部４と直角方向に伸びる折り畳み屈曲部２０を所定間隔で複数設けておく。窓際防寒ボード１の不使用時には、上部屈曲部３、下部屈曲部４を伸ばしてボード２全体を矩形平板状とし、図６に示すように折り畳み屈曲部２０で折り畳んで保管する。
【００２６】
このような構成の窓際防寒ボード１は、冷えた窓ガラスに起因して冷気が室内下層の空気温度を低下させるコールドドラフト現象と呼ばれる現象を効果的に抑制することができる。図７は、窓際防寒ボード１を窓際に設置した状態における窓ガラス１６面に直角な垂直面の断面図である。冬場、外気温が低下して窓ガラスの温度が下がると、その冷たい表面に触れた空気は冷やされて室内空気よりも比重が大きくなり窓ガラスに沿って量を増しながら降下する。また、降下中に冷えていない室内空気と接触して混じり合うことによっても量が増す。こうしたことから冷気の量は降下するに従って増え、冷気層の窓ガラス面からの厚みは次第に増す。窓際防寒ボードが図１０に示したような垂直部を持つだけの従来のボード５１では、厚みを増した冷気の一部はボード５１の室内側に降下して部屋中央部に流れてしまう。これに対して本実施形態の窓際防寒ボード１では、ボード２の上部に斜め上方、室内側に伸びる平板状傾斜部５が設けてあるため、図７に示すようにボード２の平板状直立部６よりも室内側に降下しようとする冷気は平板状傾斜部５に当接する。そして、その傾斜面に沿って平板状直立部６と窓ガラス１６との間の冷気滞留空間３０に効率良く流れ込んで滞留し、部屋中央部に直接に流れるのが防止される。このように本考案の窓際防寒ボード１は、コールドドラフト現象と呼ばれる現象を効果的に抑制して防寒効果を向上させる利点を有する。
【００２７】
なお、このような窓際防寒ボード１を出窓や掃きだし窓に適用する場合、窓際防寒ボード１の左右両端部と出窓の枠、掃きだし窓の窓壁との間に隙間が残ると、そこから冷気滞留空間３０の冷気が室内側に漏れて効果が半減する。それを防ぐには、出窓の場合は図８の平面図に示すように、窓際防寒ボード１の左右両端の１枚分のボードは隣のボードとの間の折り畳み屈曲部２０で折り曲げ、両側端部を出窓３１の側壁に接触させて隙間ができないようにする。その折り曲げたボードについては平板状傾斜部５を除去し、平板状座部７は隣と干渉部分を除去する。掃きだし窓の場合は、図９の平面図に示すように窓際防寒ボード１の左右両端の１枚分のボードを掃きだし窓３２の窓壁側に折り曲げて窓壁に接触させ、隙間ができないようにする。その折り曲げたボードの平板状傾斜部５、平板状座部７は、隣との繋ぎ部分を切り離す。
【符号の説明】
【００２８】
図面中、１は窓際防寒ボード、２は矩形ボード、３、４は屈曲部、７は平板状座部、５は平板状傾斜部、６は平板状直立部、１０ａ、１０ｂはＶ字状切り込み、１０、１１は切り込み、１５はＶ字状窪み、２０は折り畳み屈曲部を示す。
【図１】
0003190818.tif 000003
【図２】
0003190818.tif 000004
【図３】
0003190818.tif 000005
【図４】
0003190818.tif 000006
【図５】
0003190818.tif 000007
【図６】
0003190818.tif 000008
【図７】
0003190818.tif 000009
【図８】
0003190818.tif 000010
【図９】
0003190818.tif 000011
【図１０】
0003190818.tif 000012